【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
無線通信システムにおいて、データを複数の端末に送信する方法であって、
前記端末に対して非コンプレスドフレームで送信されたデータをチャネライズするのに使用される各チャネライゼーションコードを、前記複数の端末のそれぞれに対して割り当てることであって、各非コンプレスドフレームに対するデータは、所定の時間間隔の間に送信されることと、
前記複数の端末に対してコンプレスドフレームで送信されたデータをチャネライズするのに使用されるコモンチャネライゼーションコードを選択することであって、各コンプレスドフレームに対するデータは、非コンプレスドフレームに対する前記所定の時間間隔と比較して短縮された時間間隔内に送信されることと、
前記コンプレスド送信が重複しないように、前記複数の端末に対してコンプレスドフレームの送信をスケジュールすることと、
各端末に対する非コンプレスドフレームを前記端末に割り当てられた前記チャネライゼーションコードでチャネライズすることと、
前記複数の端末に対するコンプレスドフレームを前記コモンチャネライゼーションコードでチャネライズすることであって、前記コモンチャネライゼーションコードは、前記複数の端末に割り当てられた最も短いチャネライゼーションコードの長さの半分の長さをもつことと、
を具備する方法。
【請求項２】
特別なスクランブリングコードで前記複数の端末に対する前記コンプレスド及び非コンプレスドフレームをスクランブリングする請求項１記載の方法。
【請求項３】
前記コモンチャネライゼーションコードは、前記複数の端末に割り当てられた前記チャネライゼーションコードに直交する請求項１記載の方法。
【請求項４】
前記チャネライゼーションコードは、Ｗ−ＣＤＭＡ標準によって規定される直交可変拡散係数（ＯＶＳＦ）コードを具備する請求項１記載の方法。
【請求項５】
前記複数の端末に対する前記コンプレスドフレームは、重複していない請求項１記載の方法。
【請求項６】
各コンプレスドフレームは、１つまたはそれ以上のコンプレスド送信及び送信ギャップを含み、前記複数の端末は、前記コンプレスド送信が重複しないようにスケジュールされる請求項１記載の方法。
【請求項７】
第１の端末に対するコンプレスドフレームのコンプレスド送信は、第２の端末に対するコンプレスドフレームの送信ギャップの少なくとも一部に重複する請求項６記載の方法。
【請求項８】
各コンプレスドフレームは、１つまたはそれ以上のコンプレスド送信及び送信ギャップを含み、前記複数の端末に対する前記コンプレスドフレームは、第１の端末に対する第１のコンプレスドフレームでのコンプレスド送信及び送信ギャップが、第２の端末に対する第２のコンプレスドフレームでの送信ギャップとコンプレスド送信とにそれぞれ重複する請求項１記載の方法。
【請求項９】
各端末に対して、前記端末に対する前記コンプレスドフレームの開始と基準時間との間の時間相異を示すフレームオフセットを決定することと、前記複数の端末に対する前記コンプレスドフレームは、部分的に、前記端末に対する前記決定されたフレームオフセットに基づいてスケジュールされる請求項１記載の方法。
【請求項１０】
前記複数の端末に対する前記フレームオフセットをランク付けすることであって、前記複数の端末に対する前記コンプレスドフレームは、より短いフレームオフセットをもつ端末に対するコンプレスドフレームが、より長いフレームオフセットをもつ端末に対するコンプレスドフレームに先立って送信のためにスケジュールされる請求項９記載の方法。
【請求項１１】
各端末に対する非コンプレスドフレームは、前記端末に専用に用いられ、前記端末に割り当てられた前記チャネライゼーションコードによって識別される請求項１記載の方法。
【請求項１２】
前記複数の端末に対する前記コンプレスドフレームは、前記端末に共通でありかつ前記コモンチャネライゼーションコードによって識別されるコードチャネルに関して送信される請求項１記載の方法。
【請求項１３】
各端末について、前記端末への前記コンプレスドフレームの送信のタイミングを規定するのに使用される一組のパラメータに対する値を選択することをさらに具備する請求項１記載の方法。
【請求項１４】
各端末について、前記コンプレスドフレームの前記端末への送信に先立って、前記パラメータ値を前記端末に送信することをさらに具備する請求項１３記載の方法。
【請求項１５】
前記コンプレスドフレームの前記端末への送信に先立って、前記コモンチャネライゼーションコードの身元を前記複数の端末に送信することをさらに具備する請求項１記載の方法。
【請求項１６】
前記コンプレスドフレームは単一フレームコンプレスドモードを使用して生成され、これによって送信ギャップは各コンプレスドフレーム内に完全に含まれる請求項１記載の方法。
【請求項１７】
前記コンプレスドフレームは二重フレームコンプレスドモードパターンを使用して生成され、これによって送信ギャップは一対のコンプレスドフレームに渡る請求項１記載の方法。
【請求項１８】
前記通信システムはＣＤＭＡ通信システムである請求項１記載の方法。
【請求項１９】
前記ＣＤＭＡ通信システムはＷ−ＣＤＭＡ標準を実行する請求項１８記載の方法。
【請求項２０】
Ｗ−ＣＤＭＡ通信システムにおいて、データを複数の端末に送信するための方法であって、
前記端末に対する非コンプレスドフレームにおいて送信されるデータをチャネライズするために使用される各チャネライゼーションコードを複数の端末に割り当てることであって、各非コンプレスドフレームに対するデータは、所定の時間間隔のフレーム内に送信されることと、
前記複数の端末に対するコンプレスドフレームにおいて送信されたデータをチャネライズするのに使用されるコモンチャネライゼーションコードを選択することであって、各コンプレスドフレームは、１つまたはそれ以上のコンプレスド送信及び送信ギャップを含み、前記コモンチャネライゼーションコードは前記複数の端末に割り当てられたチャネライゼーションコードと直交し、前記端末に割り当てられた最も短いチャネライゼーションコードの長さの半分の長さを有することと、
前記コンプレスドフレームに対する前記コンプレスド送信が重複しないように、前記複数の端末に対してコンプレスドフレームの送信をスケジュールすることと、
前記端末に割り当てられた前記チャネライゼーションコードによって各端末に対する非コンプレスドフレームをチャネライズすることと、
前記コモンチャネライゼーションコードによって前記複数の端末に対するコンプレスドフレームをチャネライズすることと、
を具備する方法。
【請求項２１】
無線通信システムにおいて、データを複数の端末に送信するための方法であって、
前記端末への第１のタイプのデータ送信に使用される各チャネライゼーションコードを前記複数の端末の各々に割り当てることと、
前記複数の端末への第２のタイプのデータ送信に使用されるコモンチャネライゼーションコードを選択することと、
前記第２のタイプに対して送信されたデータが重複しないように、前記複数の端末に対して前記第２のタイプのデータ送信をスケジュールすることと、
前記端末に割り当てられた前記チャネライゼーションコードによって各端末に対する前記第１のタイプのデータ送信をチャネライズすることと、
前記コモンチャネライゼーションコードによって前記複数の端末に対して前記第２のタイプのデータ送信をチャネライズすることと、
を具備する方法。
【請求項２２】
前記第１のタイプのデータ送信は、非コンプレスドフレームを具備し、各非コンプレスドフレームに対するデータは所定の時間間隔内に送信される請求項２１記載の方法。
【請求項２３】
前記第２のタイプのデータ送信はコンプレスドフレームを具備し、各コンプレスドフレームに対するデータは、非コンプレスドフレームに対する前記所定の時間間隔と比較して短い時間間隔内で送信される請求項２２記載の方法。
【請求項２４】
前記チャネライゼーションコードは、Ｗ−ＣＤＭＡ標準によって規定される直交可変拡散係数（ＯＶＳＦ）コードを具備する請求項２１記載の方法。
【請求項２５】
前記コモンチャネライゼーションコードは、前記複数の端末に割り当てられたもっとも短いチャネライゼーションコードの長さの半分の長さを有する請求項２１記載の方法。
【請求項２６】
無線通信システムにおける基地局であって、コントローラと、前記コントローラに接続された変調器とを具備し、
前記コントローラは、
複数の端末のそれぞれに、前記端末に対して非コンプレスドフレームで送信されたデータをチャネライズするのに使用される各チャネライゼーションコードを割り当て、
前記複数の端末に対してコンプレスドフレームで送信されたデータをチャネライズするのに使用されたコモンチャネライゼーションコードを選択し、
前記コンプレスドフレームに対する送信データが重複しないように、前記複数の端末に対してコンプレスドフレームの送信をスケジュールすることであって、各非コンプレスドフレームに対する前記データは所定の時間間隔のフレーム内に送信され、各コンプレスドフレームに対する前記データは１フレームの一部内に送信され、
各端末に対するフレームオフセットを決定することであって、前記フレームオフセットは、前記端末に対する前記圧縮フレームの開始と、前記基地局に対する基準時間との間の時間相違を示し、前記複数の端末に対する前記圧縮フレームは、部分的に前記端末に対して決定されたフレームオフセットに基づいてスケジュールされる、ように動作可能であり、
前記変調器は、
前記端末に割り当てられた前記チャネライゼーションコードによって各端末に対する非コンプレスドフレームをチャネライズし、
前記コモンチャネライゼーションコードによって前記複数の端末に対するコンプレスドフレームをチャネライズするように動作可能である基地局。
【請求項２７】
前記コントローラはさらに、各端末に対して前記コンプレスドフレームの送信のタイミングを規定するのに使用される一組のパラメータに対する値を選択するように動作可能である請求項２６記載の基地局。
【請求項２８】
前記無線通信システムは、Ｗ−ＣＤＭＡ標準を実装する請求項２６載の基地局。